(57)【要約】【課題】基板厚の異なる或いは基板厚にばらつきのある記録媒体に対して、収差を補正しつつレーザ光をフォーカスインさせる。【解決手段】光ディスク装置（３００）は、第１の厚みの基板を介した位置の記録層にレーザ光（ＬＢ）をフォーカスインさせるフォーカス手段（１０８）と、レーザ光に収差を付与する収差付与手段（１０７）と、収差を付与しないでレーザ光をフォーカスインさせる第１制御手段（３１４）と、第１の厚みよりも薄い第２の厚みの基板を介した位置に記録層が形成される場合にレーザ光に対して付与すべき第１の量の収差を付与してレーザ光をフォーカスインさせる第２制御手段（３１４）と、第１の厚みよりも厚い第３の厚みの基板を介した位置に記録層が形成される場合にレーザ光に対して付与すべき第２の量の収差を付与してレーザ光をフォーカスインさせる第３制御手段（３１４）とを備える。【選択図】図３
2008059627.tif 000002
【特許請求の範囲】
【請求項１】
ディスク表面から第１の厚みの基板を介した位置に形成されることが規定されている記録層にレーザ光をフォーカスインさせるフォーカス手段と、
前記レーザ光に対して収差を付与する収差付与手段と、
収差を付与しないように収差付与手段を制御すると共に、前記レーザ光を前記記録層にフォーカスインさせるように前記フォーカス手段を制御する第１制御手段と、
収差が付与されない状態で前記レーザ光を前記記録層にフォーカスインさせることができなかった場合、前記ディスク表面から前記第１の厚みよりも薄い第２の厚みの基板を介した位置に前記記録層が形成されている場合に前記レーザ光に対して付与すべき第１の量の収差を付与するように前記収差付与手段を制御すると共に、前記第１の量の収差が付与された状態で前記レーザ光を前記記録層にフォーカスインさせるように前記フォーカス手段を制御する第２制御手段と、
前記第１の量の収差が付与された状態で前記レーザ光を前記記録層にフォーカスインさせることができなかった場合、前記ディスク表面から前記第１の厚みよりも厚い第３の厚みの基板を介した位置に前記記録層が形成されている場合に前記レーザ光に対して付与すべき第２の量の収差を付与するように前記収差付与手段を制御すると共に、前記第２の量の収差が付与された状態で前記レーザ光を前記記録層にフォーカスインさせるように前記フォーカス手段を制御する第３制御手段と
を備えることを特徴とする光ディスク装置。
【請求項２】
前記第２制御手段は、前記第１の量を示す収差量情報に基づいて、前記第１の量の収差を付与するように前記収差付与手段を制御することを特徴とする請求項１に記載の光ディスク装置。
【請求項３】
前記第３制御手段は、前記第２の量を示す収差量情報に基づいて、前記第２の量の収差を付与するように前記収差付与手段を制御することを特徴とする請求項１に記載の光ディスク装置。
【請求項４】
前記第１の量及び前記第２の量の少なくとも一方を示す収差量情報を格納する格納手段を更に備えることを特徴とする請求項１に記載の光ディスク装置。
【発明の詳細な説明】
【技術分野】
【０００１】
本発明は、例えばＤＶＤ等の情報記録媒体に対してデータの記録又はデータの再生を行う光ディスク装置の技術分野に属する。
【背景技術】
【０００２】
例えばＣＤやＤＶＤ等のように、レーザ光等を用いて光学的にデータの記録や再生を行う情報記録媒体が開発されている。このような情報記録媒体は様々な基板厚を有しており、例えばＣＤであれば１．２ｍｍの基板厚を、例えばＤＶＤやＨＤ  ＤＶＤであれば０．６ｍｍの基板厚を、例えばＢｌｕ−ｒａｙ  Ｄｉｓｃであれば０．１ｍｍの基板厚を有している。このような基板厚の異なる情報記録媒体に対してデータを記録ないしは再生するためには、夫々の基板厚に応じてレーザ光を記録面に集光させる必要がある。
【０００３】
他方で、一つの対物レンズでこのような基板厚の異なる情報記録媒体に対してデータを記録ないしは再生する際には、夫々の情報記録媒体毎に固有の球面収差等の収差が発生する。更には、製造時の条件等によっては、基板厚にばらつき（ないしは、誤差）が生ずることも想定され、このような基板厚のばらつきによっても収差が発生する。この収差を補正するべく、例えば特許文献１から４に記載されている技術が開発されている。
【０００４】
【特許文献１】特開２００４−２０６７６３号公報
【特許文献２】特開２００４−１４０３９号公報
【特許文献３】特開２００２−１５７７５０号公報
【特許文献４】特開２００３−９９９７０号公報
【発明の開示】
【発明が解決しようとする課題】
【０００５】
しかしながら、上述した構成は、フィードバック制御によって収差を補正したり、レーザ光を記録層にフォーカスインさせてから収差を補正している。或いは、実際に基板厚のばらつきを測定した後に収差を補正している。このため、収差を補正するための制御が複雑になりかねないという弊害も合わせ持っている。
【０００６】
本発明は、例えば上述した従来の問題点に鑑みなされたものであり、例えば基板厚の異なる或いは基板厚にばらつきが生じかねない情報記録媒体に対して、球面収差等の収差を補正しつつレーザ光をフォーカスインさせることを可能とならしめる光ディスク装置を提供することを課題とする。
【課題を解決するための手段】
【０００７】
上記課題を解決するために、請求項１に記載の光ディスク装置は、ディスク表面から第１の厚みの基板を介した位置に形成されることが規定されている記録層にレーザ光をフォーカスインさせるフォーカス手段と、前記レーザ光に対して収差を付与する収差付与手段と、収差を付与しないように収差付与手段を制御すると共に、前記レーザ光を前記記録層にフォーカスインさせるように前記フォーカス手段を制御する第１制御手段と、収差が付与されない状態で前記レーザ光を前記記録層にフォーカスインさせることができなかった場合、前記ディスク表面から前記第１の厚みよりも薄い第２の厚みの基板を介した位置に前記記録層が形成されている場合に前記レーザ光に対して付与すべき第１の量の収差を付与するように前記収差付与手段を制御すると共に、前記第１の量の収差が付与された状態で前記レーザ光を前記記録層にフォーカスインさせるように前記フォーカス手段を制御する第２制御手段と、前記第１の量の収差が付与された状態で前記レーザ光を前記記録層にフォーカスインさせることができなかった場合、前記ディスク表面から前記第１の厚みよりも厚い第３の厚みの基板を介した位置に前記記録層が形成されている場合に前記レーザ光に対して付与すべき第２の量の収差を付与するように前記収差付与手段を制御すると共に、前記第２の量の収差が付与された状態で前記レーザ光を前記記録層にフォーカスインさせるように前記フォーカス手段を制御する第３制御手段とを備える。
【０００８】
本発明の作用及び他の利得は次に説明する実施の形態から明らかにされよう。
【発明を実施するための最良の形態】
【０００９】
以下、発明を実施するための最良の形態としての本発明の実施形態に係る光ディスク装置について順に説明する。
【００１０】
本発明の光ディスク装置に係る実施形態は、ディスク表面から第１の厚みの基板を介した位置に形成されることが規定されている記録層にレーザ光をフォーカスインさせるフォーカス手段と、前記レーザ光に対して収差を付与する収差付与手段と、収差を付与しないように収差付与手段を制御すると共に、前記レーザ光を前記記録層にフォーカスインさせるように前記フォーカス手段を制御する第１制御手段と、収差が付与されない状態で前記レーザ光を前記記録層にフォーカスインさせることができなかった場合、前記ディスク表面から前記第１の厚みよりも薄い第２の厚みの基板を介した位置に前記記録層が形成されている場合に前記レーザ光に対して付与すべき第１の量の収差を付与するように前記収差付与手段を制御すると共に、前記第１の量の収差が付与された状態で前記レーザ光を前記記録層にフォーカスインさせるように前記フォーカス手段を制御する第２制御手段と、前記第１の量の収差が付与された状態で前記レーザ光を前記記録層にフォーカスインさせることができなかった場合、前記ディスク表面から前記第１の厚みよりも厚い第３の厚みの基板を介した位置に前記記録層が形成されている場合に前記レーザ光に対して付与すべき第２の量の収差を付与するように前記収差付与手段を制御すると共に、前記第２の量の収差が付与された状態で前記レーザ光を前記記録層にフォーカスインさせるように前記フォーカス手段を制御する第３制御手段とを備える。
【００１１】
本発明の光ディスク装置に係る実施形態によれば、フォーカス手段の動作により、光ディスクが備える記録層にレーザ光をフォーカスインさせることができる。このとき、収差付与手段の動作により、レーザ光に対して所望の量の収差が適宜付与される。本実施形態においては、例えば規格により、記録層は、ディスク表面から第１の厚みの基板厚を有する基板を介した位置に形成されることが規定されている。つまり、一方の面がディスク表面を構成する第１の厚みの基板厚を有する基板の他方の面上に記録層が形成されることが規定される。言い換えれば、ディスク表面から第１の厚さに相当する距離だけ離れた位置に記録層が形成されることが規定される。このとき、光ディスクは、必ずしも第１の厚さの単一の基板を備えている必要はなく、ディスク表面から第１の厚さに相当する距離だけ離れた位置に記録層が形成されれば、その構造は限定されない。尚、基板厚の異なる複数種類の光ディスクが本実施形態に係る光ディスク装置にローディングされる場合には、第１の厚さも該光ディスクの種類に応じて複数存在し得る。
【００１２】
本実施形態では特に、レーザ光を記録層にフォーカスインさせる際には、まず、第１制御手段の動作により、レーザ光に対して収差付与手段により収差が付与されていない状態でレーザ光を記録層にフォーカスインさせる。その結果、レーザ光が記録層にフォーカスインすれば、そのまま記録動作ないしは再生動作を行うことができる。この場合、第１の厚みを有するべき基板が、正しく第１の厚みを有していると判定することができる。
【００１３】
他方で、レーザ光に対して収差が付与されていない状態でレーザ光を記録層にフォーカスインさせることができなかった場合には、基板の厚みにばらつきが生じていると判定する事ができる。つまり、規格によれば第１の厚みを有するべき基板が、何らかの影響により第１の厚みを有していないと判定することができる。この場合、続いて、第２制御手段の動作により、レーザ光に対して収差付与手段により第１の量の収差が付与されると共に、第１の収差が付与された状態でレーザ光を記録層にフォーカスインさせる。第１の量は、ディスク表面から第１の厚みよりも薄い第２の厚みの基板を介した位置に記録層が形成されている場合にレーザ光に対して付与すべき収差の量である。言い換えれば、第１の量は、ディスク表面から第１の厚みよりも薄い第２の厚みの基板を介した位置に記録層が形成されていることによって生ずる収差を補正する（つまり、打ち消す）ためにレーザ光に対して付与すべき収差の量である。その結果、レーザ光が記録層にフォーカスインすれば、そのまま記録動作ないしは再生動作を行うことができる。この場合、第１の厚みを有するべき基板が、第１の厚みよりも薄い第２の厚みを有していると判定することができる。
【００１４】
他方で、レーザ光に対して第１の量の収差が付与された状態でレーザ光を記録層にフォーカスインさせることができなかった場合には、続いて、第３制御手段の動作により、レーザ光に対して収差付与手段により第２の量の収差が付与されると共に、第２の収差が付与された状態でレーザ光を記録層にフォーカスインさせる。第２の量は、ディスク表面から第１の厚みよりも厚い第３の厚みの基板を介した位置に記録層が形成されている場合にレーザ光に対して付与すべき収差の量である。言い換えれば、第２の量は、ディスク表面から第１の厚みよりも厚い第３の厚みの基板を介した位置に記録層が形成されていることによって生ずる収差を補正する（つまり、打ち消す）ためにレーザ光に対して付与すべき収差の量である。その結果、レーザ光が記録層にフォーカスインすれば、そのまま記録動作ないしは再生動作を行うことができる。この場合、第１の厚みを有するべき基板が、第１の厚みよりも厚い第３の厚みを有していると判定することができる。
【００１５】
このように、収差を付与することなくレーザ光をフォーカスインさせることができなければ、基板は本来の厚さよりも薄いとみなしてレーザ光に対して収差を付与し、更にフォーカスインさせることができなければ、基板は本来の厚さよりも厚いとみなしてレーザ光に対して収差を付与している。このため、基板の厚さが異なる複数種類の光ディスクのうちのいずれがローディングされたとしても、或いは基板の厚みにばらつきが生じていたとしても、好適に収差を補正しつつレーザ光をフォーカスインさせることができる。特に、本実施形態によれば、基板の厚さを実際に測定したり、或いはレーザ光の反射光をモニタリングしながら付与するべき収差の量を微調整する必要がない。このため、比較的簡易に、収差を補正しつつレーザ光を記録層にフォーカスインさせることができる。
【００１６】
本発明の光ディスク装置に係る実施形態の一の態様は、前記第２制御手段は、前記第１の量を示す収差量情報に基づいて、前記第１の量の収差を付与するように前記収差付与手段を制御する。
【００１７】
この態様によれば、第２制御手段は、収差量情報に基づいて、複雑な演算等を行うことなく（つまり、比較的容易に）、レーザ光に対して第１の量の収差を付与するように収差付与手段を制御することができる。
【００１８】
本発明の光ディスク装置に係る実施形態の他の態様は、前記第３制御手段は、前記第２の量を示す収差量情報に基づいて、前記第２の量の収差を付与するように前記収差付与手段を制御する。
【００１９】
この態様によれば、第３制御手段は、収差量情報に基づいて、複雑な演算等を行うことなく（つまり、比較的容易に）、レーザ光に対して第２の量の収差を付与するように収差付与手段を制御することができる。
【００２０】
本発明の光ディスク装置に係る実施形態の他の態様は、前記第１の量及び前記第２の量の少なくとも一方を示す収差量情報を格納する格納手段を更に備える。
【００２１】
この態様によれば、格納手段に格納されている収差量情報を適宜参照することで、複雑な演算等を行うことなく（つまり、比較的容易に）、レーザ光に対して第１の量の収差又は第２の量の収差を付与するように収差付与手段を制御することができる。
【００２２】
本発明のこのような作用及び他の利得は次に説明する実施の形態から明らかにされる。
【００２３】
以上説明したように、本発明の光ディスク装置に係る実施形態は、フォーカス手段と、収差付与手段と、第１制御手段と、第２制御手段と、第３制御手段とを備える。従って、基板厚の異なる或いは基板厚にばらつきが生じかねない情報記録媒体に対して、球面収差等の収差を補正しつつレーザ光をフォーカスインさせることができる。
【実施例】
【００２４】
以下、図面を参照して本発明の好適な実施例について説明する。
【００２５】
（記録再生装置の構成）
初めに、図１を参照して、本発明の光ディスク装置に係る実施例としての情報記録再生装置の基本構成について説明する。ここに、図１は、本実施例に係る情報記録再生装置３００の全体的な構成を概略的に示すブロック図である。尚、情報記録再生装置３００は、異なる基板厚を有する複数種類の光ディスク１０の夫々にデータを記録する機能と、異なる基板厚を有する複数種類の光ディスク１０の夫々に記録されたデータを再生する機能とを備える。尚、本実施例では複数種類の光ディスク１０の具体例として、基板厚が１．２ｍｍのＣＤと基板厚が０．６ｍｍのＤＶＤとを想定して説明を進めていく。
【００２６】
図１に示すように、情報記録再生装置３００は、実際に光ディスク１０がローディングされ且つデータの記録やデータの再生が行なわれるディスクドライブ３０１と、該ディスクドライブ３０１に対するデータの記録及び再生を制御するパーソナルコンピュータ等のホストコンピュータ３０２とを備えている。
【００２７】
ディスクドライブ３０１は、光ディスク１０、スピンドルモータ３１１、光ピックアップ１００、信号記録再生手段３１３、ＣＰＵ（ドライブ制御手段）３１４、メモリ３１５、データ入出力制御手段３１６、及びバス３１７を備えて構成されている。また、ホストコンピュータ３０２は、データ入出力制御手段３１８、ＣＰＵ３１９、メモリ３２０、バス３２１、操作／表示制御手段３２２、操作ボタン３２３及び表示パネル３２４を備えて構成される。
【００２８】
光ピックアップ１００は、光ディスク１０へのデータの記録を行うために、例えば半導体レーザ装置とレンズ等を含んで構成される。より詳細には、光ピックアップ１００は、光ディスク１０に対してレーザ光ＬＢを、再生時には読み取り光として第１のパワーで照射し、記録時には書き込み光として第２のパワーで且つ変調させながら照射する。尚、光ピックアップ１００の詳細な構成については後述する（図２参照）。
【００２９】
スピンドルモータ３１１は光ディスク１０を回転及び停止させるもので、光ディスク１０へのアクセス時に動作する。より詳細には、スピンドルモータ３１１は、図示しないサーボユニット等によりスピンドルサーボを受けつつ所定速度で光ディスク１０を回転及び停止させるように構成されている。
【００３０】
信号記録再生手段３１３は、スピンドルモータ３１１と光ピックアップ１００を制御することで光ディスク１０に対してデータの記録及び再生を行う。より具体的には、信号記録再生手段３１３は、例えば、レーザダイオードドライバ（ＬＤドライバ）及びヘッドアンプ等によって構成されている。レーザダイオードドライバは、光ピックアップ１００内に設けられたレーザチップを駆動する。ヘッドアンプは、光ピックアップ１００の出力信号、即ち、レーザ光ＬＢの反射光を増幅し、該増幅した信号を出力する。
【００３１】
メモリ３１５は、データのバッファ領域や、信号記録再生手段３１３で使用出来るデータに変換する時の中間バッファとして使用される領域などディスクドライブ３０１におけるデータ処理全般において使用される。また、メモリ３１５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。
【００３２】
ＣＰＵ（ドライブ制御手段）３１４は、信号記録再生手段３１３及びメモリ３１５と、バス３１７を介して接続され、各種制御手段に指示を行うことで、ディスクドライブ３０１全体の制御を行う。通常、ＣＰＵ３１４が動作するためのソフトウェア又はファームウェアは、メモリ３１５に格納されている。
【００３３】
データ入出力制御手段３１６は、ディスクドライブ３０１に対する外部からのデータ入出力を制御し、メモリ３１５上のデータバッファへの格納及び取り出しを行う。情報記録装置３００とＳＣＳＩや、ＡＴＡＰＩなどのインタフェースを介して接続されている外部のホストコンピュータ３０２から発行されるドライブ制御命令は、データ入出力制御手段３１６を介してＣＰＵ３１４に伝達される。また、データも同様にデータ入出力制御手段３１６を介して、ホストコンピュータ３０２とやり取りされる。
【００３４】
操作／表示制御手段３２２はホストコンピュータ３０２に対する動作指示受付と表示を行うもので、例えば記録や再生といった操作ボタン３２３による指示をＣＰＵ３１９に伝える。ＣＰＵ３１９は、操作／表示制御手段３２２からの指示情報を元に、データ入出力手段３１８を介して、情報記録再生装置３００に対して制御命令（コマンド）を送信し、ディスクドライブ３０１全体を制御する。同様に、ＣＰＵ３１９は、ディスクドライブ３０１に対して、動作状態をホストに送信するように要求するコマンドを送信することができる。これにより、記録中といったディスクドライブ３０１の動作状態が把握できるためＣＰＵ３１９は、操作／表示制御手段３２２を介して蛍光管やＬＣＤなどの表示パネル３２４にディスクドライブ３０１の動作状態を出力することができる。
【００３５】
メモリ３２０は、ホストコンピュータ３０２が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３１８を介して、図示しないハードディスク等の外部記憶装置に接続されていてもよい。
【００３６】
以上説明した、ディスクドライブ３０１とホストコンピュータ３０２を組み合わせて使用する一具体例は、映像を記録するレコーダ機器等の家庭用機器である。このレコーダ機器は放送受信チューナや外部接続端子からの映像信号をディスクに記録する機器である。メモリ３２０に格納されたプログラムをＣＰＵ３１９で実行させることでレコーダ機器としての動作を行っている。また、別の具体例では、ディスクドライブ３０１はディスクドライブ（以下、適宜ドライブと称す）であり、ホストコンピュータ３０２はパーソナルコンピュータやワークステーションである。パーソナルコンピュータ等のホストコンピュータとドライブはＳＣＳＩやＡＴＡＰＩといったデータ入出力制御手段３１６及び３１８を介して接続されており、ホストコンピュータ３０２にインストールされているリーディングソフトウェア等のアプリケーションが、ディスクドライブ３０１を制御する。
【００３７】
続いて、図２を参照して、本実施例に係る情報記録再生装置３００が備えるピックアップ１００のより詳細な構成について説明する。ここに、図２は、本実施例に係る情報記録再生装置３００のうち特にピックアップ１００のより詳細な構成を概略的に示すブロック図である。
【００３８】
図２に示すように、光ピックアップ１００は、ホログラムレーザ１０１と、コリメータレンズ１０４と、ハーフミラー１０５と、球面収差補正素子１０７と、対物レンズ１０８と、アクチュエータ１０９と、液晶ドライブ１１１と、集光レンズ１１２と、フォトディテクタ１１５とを備える。
【００３９】
ホログラムレーザ１０１は、図示しない複数波長のレーザ光ＬＢを出射可能なレーザチップや基板やホログラム素子などを有して構成されている。レーザチップは複数種類ある光ディスク１０の種別に応じたレーザ光ＬＢを放射する。より具体的には、レーザチップは、例えばＣＤに対するデータの記録或いは再生を行う際には、例えば７８０ｎｍの波長を有するレーザ光ＬＢ（即ち、赤外レーザ光）を照射し、例えばＤＶＤに対するデータの記録或いは再生を行う際には、例えば６６０ｎｍの波長を有するレーザ光ＬＢ（即ち、赤レーザ光）を照射する。
【００４０】
コリメータレンズ１０４は、入射したレーザ光ＬＢを略平行光にして、ハーフミラー１０５に入射させる。
【００４１】
ハーフミラー１０５は、ホログラムレーザ１０１の側から入射するレーザ光ＬＢをそのまま１００％透過し、光ディスク１０の側から入射するレーザ光ＬＢ（即ち、レーザ光ＬＢの光ディスク１０からの反射光）を反射する。ハーフミラー１０５において反射された反射光は、集光レンズ１１２を介してフォトディテクタ１１５に集光される。
【００４２】
球面収差補正素子１０７は、本発明の「収差付与手段」の一具体例を構成しており、例えば液晶パネルを備えている。球面収差補正素子１０７は、本発明における「第１制御手段」、「第２制御手段」及び「第３制御手段」の一具体例を構成しているＣＰＵ３１４の制御の下に動作する液晶ドライブ１１１の指示を受けて、液晶パネル内の屈折率を適宜変化させる。より具体的には、液晶パネル内の屈折率が変化することで、球面収差補正素子１０７を透過するレーザ光ＬＢの光路ないしは部分的な位相が変化し、その結果、球面収差が補正される。
【００４３】
対物レンズ１０８は、本発明における「フォーカス手段」の一具体例を構成しており、入射するレーザ光ＬＢを集光して、光ディスク１０の記録面上に照射する。
【００４４】
アクチュエータ１０９は、本発明における「フォーカス手段」の一具体例を構成しており、対物レンズ１０８の配置位置を変更するための駆動機構を有している。より具体的には、アクチュエータ１０９は、対物レンズ１０８の位置をフォーカス方向（Ｚ方向であって、図２における左右の方向）に移動させる。
【００４５】
液晶ドライブ１１１は、ＣＰＵ３１４の制御の下に、球面収差補正素子１０７が備える液晶パネルを駆動する。より具体的には、液晶ドライブ１１１は、ＣＰＵ３１４の制御の下に、所定の電圧を球面収差補正素子１０７に印加することで、球面収差補正素子１０７が備える液晶パネル内の液晶分子の配向状態を変化させる。その結果、液晶パネル内の屈折率が部分的に変化し、球面収差が補正される。
【００４６】
集光レンズ１１２は、ハーフミラー１０５において反射された反射光を集光する。
【００４７】
フォトディテクタ１１５は、ハーフミラー１０５において反射される反射光を受光し、その光強度レベル等を検出する。フォトディテクタ１１５は、検出した光強度レベル等を、ＣＰＵ３１４に出力する。
【００４８】
（情報記録再生装置の動作原理）
続いて、図３から図５を参照して、本実施例に係る情報記録再生装置３００の動作原理について説明する。ここに、図３は、本実施例に係る情報記録再生装置３００の動作の流れの一の過程を概念的に示すフローチャートであり、図４は、本実施例に係る情報記録再生装置３００の動作の流れの他の過程を概念的に示すフローチャートであり、図５は、球面収差補正素子１０７において付与される球面収差の量を基板厚と対応付けて概念的に示すグラフである。
【００４９】
図３に示すように、ＣＰＵ３１４の制御の下に、ローディングされた光ディスク１０が、基板厚が相対的に薄いＤＶＤであると推定として、球面収差補正素子１０７により付与される球面収差の量をゼロに設定する（ステップＳ１０１）。つまり、球面収差補正素子１０７により付与される球面収差量をフラットに設定する。その後、ローディングされた光ディスク１０に対するレーザ光ＬＢのフォーカス引き込みが行われる（ステップＳ１０２）。つまり、ローディングされた光ディスクが備える記録層に対して、レーザ光ＬＢをフォーカスインさせる。
【００５０】
ステップＳ１０２における動作の結果、レーザ光ＬＢのフォーカス引き込みを行うことができた場合には（ステップＳ１０２：Ｙｅｓ）、ローディングされた光ディスク１０はＤＶＤであり、且つその基板厚は０．６ｍｍであると判定することができる。従って、その後は、ローディングされた光ディスク１０が、基板厚が０．６ｍｍであるＤＶＤであることを前提として、図４に示すように、トラッキングサーボをＯＮにした後（ステップＳ１１４）、データの記録動作又はデータの再生動作が行われる（ステップＳ１１５）。
【００５１】
他方、ステップＳ１０２における動作の結果、レーザ光ＬＢのフォーカス引き込みを行うことができなかった場合には（ステップＳ１０２：Ｎｏ）、ローディングされた光ディスクはＤＶＤでない又は基板厚が０．６ｍｍでないＤＶＤであると判定することができる。この場合、続いて、ローディングされた光ディスク１０が、基板厚が相対的に厚いＣＤであると推定して、球面収差補正素子１０７により付与される球面収差の量をゼロに設定する（ステップＳ１０３）。その後、ローディングされた光ディスク１０が備える記録層に対して、レーザ光ＬＢのフォーカス引き込みが行われる（ステップＳ１０４）。
【００５２】
ステップＳ１０４における動作の結果、レーザ光ＬＢのフォーカス引き込みを行うことができた場合には（ステップＳ１０４：Ｙｅｓ）、ローディングされた光ディスク１０はＣＤであり、且つその基板厚は１．２ｍｍであると判定することができる。従って、その後は、ローディングされた光ディスク１０が、基板厚が１．２ｍｍであるＣＤであることを前提として、図４に示すように、トラッキングサーボをＯＮにした後（ステップＳ１１４）、データの記録動作又はデータの再生動作が行われる（ステップＳ１１５）。
【００５３】
他方、ステップＳ１０４における動作の結果、レーザ光ＬＢのフォーカス引き込みを行うことができなかった場合には（ステップＳ１０４：Ｎｏ）、ローディングされた光ディスクはＣＤでない又は基板厚が１．２ｍｍでないＣＤであると判定することができる。この場合、続いて、ローディングされた光ディスク１０が、ＤＶＤ規格が定める０．６ｍｍという基板厚よりも薄い所定の基板厚を有するＤＶＤであると推定して、球面収差補正素子１０７により付与される球面収差の量を所定のマイナス値に設定する（ステップＳ１０５）。
【００５４】
ここで、図５（ａ）を参照して、図３のステップＳ１０５における球面収差補正素子１０７により付与される球面収差の量についてより詳細に説明する。図５（ａ）は、光ディスク１０の一具体例であるＤＶＤの基板厚を横軸とし、且つ発生する球面収差の量を縦軸に示すグラフである。このグラフは、基板厚をｔとし、発生する球面収差の量をｙとすれば、ｙ＝−１４．５×ｔ＋８．７という数式により示される。
【００５５】
図５（ａ）に示すように、基板厚が０．６ｍｍであれば、発生する球面収差の量は概ねゼロである。従って、図３のステップＳ１０１に示すように球面収差補正素子１０７により付与される球面収差の量をゼロと設定すれば、レーザ光ＬＢをフォーカスインさせることができる。
【００５６】
他方、基板厚が０．６ｍｍよりも薄くなると、プラスの球面収差が発生する。例えば、基板厚が０．５５９ｍｍであれば、発生する球面収差の量は０．６０λとなる。このため、球面収差補正素子１０７により付与される球面収差の量がゼロであれば、球面収差が発生することにより、記録層上でレーザ光のスポットがぼやけてしまう。このため、レーザ光ＬＢのフォーカス引き込みを行うことができない。尚、本実施形態においては、「レーザ光ＬＢのフォーカス引き込みを行うことができない」状態とは、記録層に対してレーザ光ＬＢを全くフォーカスインさせることができない状態に加えて、記録層に対してレーザ光をフォーカスインさせることはできる場合であっても、信号強度（具体的には、レーザ光の反射光の信号強度）が相対的に弱い又はフォーカス引き込みを行う際に参照されるＳ字信号のピーク・トゥ・ピーク（ｐ  ｔｏ  ｐ）が相対的に小さいことに起因して記録動作又は再生動作を好適に行うことができない状態をも含む。従って、レーザ光ＬＢのフォーカス引き込みを行うためには、この球面収差を打ち消す必要がある。この球面収差を打ち消すためには、球面収差補正素子１０７により−０．６０λの球面収差をレーザ光ＬＢに対して付与する必要がある。
【００５７】
本実施例では特に、実際に光ディスク１０の基板厚を測定することに代えて、基板厚が０．６ｍｍよりも薄い所定の厚さであると推定して又はみなして、該所定の厚さにより定まる球面収差を打ち消すための球面収差を、球面収差補正素子１０７によりレーザ光ＬＢに対して付与する。このとき推定される又はみなされる０．６ｍｍよりも薄い所定の厚さは、予め定められていることが好ましい。より具体的には、例えば、図３のステップＳ１０５において、基板厚が０．６ｍｍよりも薄い０．５５９ｍｍであると推定して、この０．５５９ｍｍにより定まる球面収差０．６０λを打ち消すための球面収差−０．６０λを、球面収差補正素子１０７によりレーザ光ＬＢに対して付与する。この場合、推定される又はみなされる「０．５５９ｍｍ」という基板厚や、該基板厚により定まる球面収差−０．６０λ（又は、該球面収差０．６０λを打ち消すための球面収差−０．６０λ）は、本発明における「格納手段」の一具体例を構成するメモリ３１５に予め格納されていることが好ましい。
【００５８】
また、以下に説明する球面収差の付与においても同様に、実際に光ディスク１０の基板厚を測定することに代えて、基板厚が所定の厚さであると推定して又はみなして、所定の球面収差をレーザ光ＬＢに対して付与する。更に、推定される又はみなされる所定の厚さと、該所定の厚さにより定まる所定の球面収差は、メモリ３１５に予め格納されていることが好ましい。
【００５９】
再び図３において、その後、球面収差補正素子１０７の動作により球面収差−０．６０λをレーザ光ＬＢに付与した状態で、ローディングされた光ディスク１０に対するレーザ光ＬＢのフォーカス引き込みが行われる（ステップＳ１０６）。
【００６０】
ステップＳ１０６における動作の結果、レーザ光ＬＢのフォーカス引き込みを行うことができた場合には（ステップＳ１０６：Ｙｅｓ）、ローディングされた光ディスク１０は基板厚が０．６ｍｍよりも薄いＤＶＤであると判定することができる。従って、その後は、ローディングされた光ディスク１０が、基板厚が０．６ｍｍよりも薄いＤＶＤであることを前提として、図４に示すように、球面収差補正素子１０７による球面収差−０．６０λの付与を継続しつつ、トラッキングサーボをＯＮにした後（ステップＳ１１４）、データの記録動作又はデータの再生動作が行われる（ステップＳ１１５）。
【００６１】
他方、ステップＳ１０６における動作の結果、レーザ光ＬＢのフォーカス引き込みを行うことができなかった場合には（ステップＳ１０６：Ｎｏ）、ローディングされた光ディスクはＤＶＤでない又は基板厚が０．６ｍｍよりも薄くないＤＶＤであると判定することができる。この場合、続いて、ローディングされた光ディスク１０が、ＣＤ規格が定める１．２ｍｍという基板厚よりも薄い所定の基板厚を有するＣＤであると推定して、球面収差補正素子１０７により付与される球面収差の量を所定のマイナス値に設定する（ステップＳ１０７）。
【００６２】
ここで、図５（ｂ）を参照して、図３のステップＳ１０７における球面収差補正素子１０７により付与される球面収差の量についてより詳細に説明する。図５（ｂ）は、光ディスク１０の一具体例であるＣＤの基板厚を横軸とし、且つ発生する球面収差の量を縦軸に示すグラフである。このグラフは、基板厚をｔとし、発生する球面収差の量をｙとすれば、ｙ＝−６．１×ｔ＋７．４という数式により示される。
【００６３】
図５（ｂ）に示すように、基板厚が１．２ｍｍであれば、発生する球面収差の量は概ねゼロである。従って、図３のステップＳ１０３に示すように球面収差補正素子１０７により付与される球面収差の量をゼロと設定すれば、レーザ光ＬＢをフォーカスインさせることができる。
【００６４】
他方、基板厚が１．２ｍｍよりも薄くなると、プラスの球面収差が発生する。例えば、基板厚が０．８７４ｍｍであれば、発生する球面収差の量は２．０λとなる。従って、レーザ光ＬＢのフォーカス引き込みを行うためには、この球面収差を打ち消す必要がある。この球面収差を打ち消すためには、球面収差補正素子１０７により−２．０λの球面収差をレーザ光ＬＢに対して付与する必要がある。
【００６５】
再び図３において、その後、球面収差補正素子１０７の動作により球面収差−２．０λをレーザ光ＬＢに付与した状態で、ローディングされた光ディスク１０に対するレーザ光ＬＢのフォーカス引き込みが行われる（ステップＳ１０８）。
【００６６】
ステップＳ１０８における動作の結果、レーザ光ＬＢのフォーカス引き込みを行うことができた場合には（ステップＳ１０６：Ｙｅｓ）、ローディングされた光ディスク１０は基板厚が１．２ｍｍよりも薄いＣＤであると判定することができる。従って、その後は、ローディングされた光ディスク１０が、基板厚が１．２ｍｍよりも薄いＣＤであることを前提として、図４に示すように、球面収差補正素子１０７による球面収差−２．０λの付与を継続しつつ、トラッキングサーボをＯＮにした後（ステップＳ１１４）、データの記録動作又はデータの再生動作が行われる（ステップＳ１１５）。
【００６７】
他方、ステップＳ１０８における動作の結果、レーザ光ＬＢのフォーカス引き込みを行うことができなかった場合には（ステップＳ１０８：Ｎｏ）、ローディングされた光ディスクはＣＤでない又は基板厚が１．２ｍｍよりも薄くないＤＶＤであると判定することができる。この場合、続いて、図４に示すように、ローディングされた光ディスク１０が、ＤＶＤ規格が定める０．６ｍｍという基板厚よりも厚い所定の基板厚を有するＤＶＤであると推定して、球面収差補正素子１０７により付与される球面収差の量を所定のプラス値に設定する（ステップＳ１０９）。
【００６８】
ここで、図５（ａ）を参照して、図４のステップＳ１０９における球面収差補正素子１０７により付与される球面収差の量についてより詳細に説明する。図５（ａ）に示すように、基板厚が０．６ｍｍよりも厚くなると、マイナスの球面収差が発生する。例えば、基板厚が０．６４１ｍｍであれば、発生する球面収差の量は−０．６０λとなる。従って、レーザ光ＬＢのフォーカス引き込みを行うためには、この球面収差を打ち消す必要がある。この球面収差を打ち消すためには、球面収差補正素子１０７により０．６０λの球面収差をレーザ光ＬＢに対して付与する必要がある。
【００６９】
再び図４において、その後、球面収差補正素子１０７の動作により球面収差０．６０λをレーザ光ＬＢに付与した状態で、ローディングされた光ディスク１０に対するレーザ光ＬＢのフォーカス引き込みが行われる（ステップＳ１１０）。
【００７０】
ステップＳ１１０における動作の結果、レーザ光ＬＢのフォーカス引き込みを行うことができた場合には（ステップＳ１１０：Ｙｅｓ）、ローディングされた光ディスク１０は基板厚が０．６ｍｍよりも厚いＤＶＤであると判定することができる。従って、その後は、ローディングされた光ディスク１０が、基板厚が０．６ｍｍよりも厚いＤＶＤであることを前提として、図４に示すように、球面収差補正素子１０７による球面収差０．６０λの付与を継続しつつ、トラッキングサーボをＯＮにした後（ステップＳ１１４）、データの記録動作又はデータの再生動作が行われる（ステップＳ１１５）。
【００７１】
他方、ステップＳ１１０における動作の結果、レーザ光ＬＢのフォーカス引き込みを行うことができなかった場合には（ステップＳ１１０：Ｎｏ）、ローディングされた光ディスクはＤＶＤでない又は基板厚が０．６ｍｍよりも厚くないＤＶＤであると判定することができる。この場合、続いて、図４に示すように、ローディングされた光ディスク１０が、ＣＤ規格が定める１．２ｍｍという基板厚よりも厚い所定の基板厚を有するＣＤであると推定して、球面収差補正素子１０７により付与される球面収差の量を所定のプラス値に設定する（ステップＳ１１１）。
【００７２】
ここで、図５（ｂ）を参照して、図４のステップＳ１１１における球面収差補正素子１０７により付与される球面収差の量についてより詳細に説明する。図５（ｂ）に示すように、基板厚が１．２ｍｍよりも厚くなると、マイナスの球面収差が発生する。例えば、基板厚が１．５２６ｍｍであれば、発生する球面収差の量は−２．０λとなる。従って、レーザ光ＬＢのフォーカス引き込みを行うためには、この球面収差を打ち消す必要がある。この球面収差を打ち消すためには、球面収差補正素子１０７により２．０λの球面収差をレーザ光ＬＢに対して付与する必要がある。
【００７３】
再び図４において、その後、球面収差補正素子１０７の動作により球面収差２．０λをレーザ光ＬＢに付与した状態で、ローディングされた光ディスク１０に対するレーザ光ＬＢのフォーカス引き込みが行われる（ステップＳ１１２）。
【００７４】
ステップＳ１１２における動作の結果、レーザ光ＬＢのフォーカス引き込みを行うことができた場合には（ステップＳ１１２：Ｙｅｓ）、ローディングされた光ディスク１０は基板厚が１．２ｍｍよりも厚いＣＤであると判定することができる。従って、その後は、ローディングされた光ディスク１０が、基板厚が１．２ｍｍよりも厚いＣＤであることを前提として、図４に示すように、球面収差補正素子１０７による球面収差２．０λの付与を継続しつつ、トラッキングサーボをＯＮにした後（ステップＳ１１４）、データの記録動作又はデータの再生動作が行われる（ステップＳ１１５）。
【００７５】
他方、ステップＳ１１２における動作の結果、レーザ光ＬＢのフォーカス引き込みを行うことができなかった場合には（ステップＳ１１０：Ｎｏ）、ローディングされた光ディスク１０はＣＤでない又は基板厚が１．２ｍｍよりも厚くないＣＤであると判定することができる。この場合、当該情報記録再生装置３００は、ローディングされた光ディスク１０に対する記録動作又は再生動作を行うことができないと判定し、光ディスク１０をイジェクトする（ステップＳ１１３）。
【００７６】
以上、本実施例に係る情報記録再生装置３００の動作をまとめると、まず、当該情報記録再生装置３００にローディングされ得る複数種類の光ディスク１０のうち基板厚が最も薄い光ディスク１０がローディングされたものと推定する。その後、球面収差補正素子１０７による球面収差の付与を行うことなく、レーザ光ＬＢのフォーカス引き込みを行う。フォーカス引き込みを行うことができなければ、当該情報記録再生装置３００にローディングされ得る複数種類の光ディスク１０のうち基板厚が２番目に薄い光ディスク１０がローディングされたものと推定し、レーザ光ＬＢのフォーカス引き込みを行う。以降は、フォーカス引き込みを行うことができるまで、当該情報記録再生装置３００にローディングされ得る複数種類の光ディスク１０のうち基板厚が薄い光ディスク１０を優先的に動作対象として、同様の動作が繰り返される。上述した例では、基板厚が薄いＤＶＤを優先的に動作対象とした後に、基板厚がＤＶＤよりも厚いＣＤを動作対象としている。
【００７７】
その後、球面収差補正素子１０７による球面収差の付与を行うことなくレーザ光ＬＢのフォーカス引き込みを行うことができない場合には、基板厚が本来の基板厚（例えば、規格により定められる基板厚等）より薄いと推定する。そして、基板厚が本来の基板厚よりも薄い場合に生ずる球面収差を打ち消すための球面収差を、球面収差補正素子１０７の動作によりレーザ光ＬＢに対して付与しつつ、レーザ光ＬＢのフォーカス引き込みを行う。この動作についても、フォーカス引き込みを行うことができるまで、当該情報記録再生装置３００にローディングされ得る複数種類の光ディスク１０のうち基板厚（つまり、本来の基板厚）が薄い光ディスク１０を優先的に動作対象として、繰り返される。
【００７８】
その後、基板厚が本来の基板厚よりも薄い場合に生ずる球面収差を打ち消すための球面収差の付与を行ってもレーザ光ＬＢのフォーカス引き込みを行うことができない場合には、基板厚が本来の基板厚より厚いと推定する。そして、基板厚が本来の基板厚よりも厚い場合に生ずる球面収差を打ち消すための球面収差を、球面収差補正素子１０７の動作によりレーザ光ＬＢに対して付与しつつ、レーザ光ＬＢのフォーカス引き込みを行う。この動作についても、フォーカス引き込みを行うことができるまで、当該情報記録再生装置３００にローディングされ得る複数種類の光ディスク１０のうち基板厚が薄い光ディスク１０を優先的に動作対象として、繰り返される。
【００７９】
以上説明したように、本実施例に係る情報記録再生装置３００によれば、基板の厚さが異なる複数種類の光ディスクのうちのいずれがローディングされたとしても、或いは基板の厚みにばらつきが生じていたとしても、好適に収差を補正しつつレーザ光をフォーカスインさせることができる。特に、本実施例によれば、基板の厚さを実際に測定したり、或いはレーザ光の反射光をモニタリングしながら付与するべき収差の量を微調整する必要がない。このため、比較的簡易に、収差を補正しつつレーザ光ＬＢを記録層にフォーカスインさせることができる。
【００８０】
尚、上述した実施例においては、情報記録再生装置３００にローディングされる光ディスク１０の具体例として、ＣＤ及びＤＶＤを例に挙げて説明を進めた。しかしながら、他の種類の光ディスクが情報記録再生装置３００にローディングされるように構成してもよいことはいうまでもない。例えば、基板厚が０．１ｍｍであるＢｌｕ−ｒａｙ  Ｄｉｓｃが情報記録再生装置３００にローディングされるように構成してもよい。この場合、Ｂｌｕ−ｒａｙ  Ｄｉｓｃの基板厚は、ＣＤやＤＶＤの基板厚よりも薄いため、光ディスク１０がローディングされた後には、まずローディングされた光ディスク１０がＢｌｕ−ｒａｙ  Ｄｉｓｃであると推定してレーザ光ＬＢが記録層にフォーカスインされる。以降の基板厚が本来の基板厚よりも薄いと推定する場合の動作及び基板厚が本来の基板厚よりも厚いと推定する場合の動作についても、Ｂｌｕ−ｒａｙ  Ｄｉｓｃ、ＤＶＤ、ＣＤの順番で優先的に動作対象とされる。
【００８１】
また、単一の記録層を備える光ディスク１０のみならず、２つの記録層を備える２層型の又は３つ以上の記録層を備える多層型の光ディスクが、情報記録再生装置３００にローディングされるように構成してもよい。この場合、レーザ光ＬＢを照射する側から見て（つまり、光ピックアップ１００から見て）より近い側に位置する記録層を優先的に動作対象として選択しながら、上述した収差を付与しないでレーザ光ＬＢをフォーカスインさせる動作、基板厚が本来の基板厚よりも薄いと推定する場合の動作及び基板厚が本来の基板厚よりも厚いと推定する場合の動作が行われる。尚、２層型の又は多層型の光ディスクにおいては、基板厚は、ディスク表面から記録層までの距離に相当する。
【００８２】
また、上述の実施例では、基板厚が本来の基板厚よりも薄いと推定する場合の基板厚や、基板厚が本来の基板厚よりも厚いと推定する場合の基板厚や、これらの基板厚により定まる球面収差（又は、該球面収差を打ち消すための球面収差）を、メモリ３１５に予め格納するように構成している。しかしながら、図５（ａ）及び図５（ｂ）に示すグラフ（又は、該グラフを示す数式）を、メモリ３１５に予め格納するように構成してもよい。但し、グラフを格納する場合であっても、基板厚が本来の基板厚よりも薄いと推定する場合の基板厚や、基板厚が本来の基板厚よりも厚いと推定する場合の基板厚は、予め定められていることが好ましい。
【００８３】
本発明は、上述した実施例に限られるものではなく、請求の範囲及び明細書全体から読み取れる発明の要旨或いは思想に反しない範囲で適宜変更可能であり、そのような変更を伴なう光ディスク装置もまた本発明の技術的範囲に含まれるものである。
【図面の簡単な説明】
【００８４】
【図１】本実施例に係る情報記録再生装置の全体的な構成を概略的に示すブロック図である。
【図２】本実施例に係る情報記録再生装置のうち特にピックアップのより詳細な構成を概略的に示すブロック図である。
【図３】本実施例に係る情報記録再生装置の動作の流れの一の過程を概念的に示すフローチャートである。
【図４】本実施例に係る情報記録再生装置の動作の流れの他の過程を概念的に示すフローチャートである。
【図５】球面収差補正素子において付与される球面収差の量を基板厚と対応付けて概念的に示すグラフである。
【符号の説明】
【００８５】
１０  光ディスク
１００  光ピックアップ
１０１  ホログラムレーザ
１０４  コリメータレンズ
１０７  球面収差補正素子
１０８  対物レンズ
１０９  アクチュエータ部
１１１  液晶ドライブ
１１５  フォトディテクタ
３００  情報記録再生装置
３１３  信号記録再生手段
３１４  ＣＰＵ
３１５  メモリ
【図１】
2008059627.tif 000003
【図２】
2008059627.tif 000004
【図３】
2008059627.tif 000005
【図４】
2008059627.tif 000006
【図５】
2008059627.tif 000007